(57)【特許請求の範囲】
【請求項１】
肛門から直腸へ挿入される筒状体に直腸内で使用される腸内作業具を設け、同筒状体の先端の所定広さの上方空間の側面を囲う保護体を筒状体先端に取付け、同保護体内側の囲われた空間に腸内作業具の直腸内で露出して使用される部分を配置し、保護体の囲う空間を横方向に拡大させる保護体の拡巾手段を設け、しかも腸内作業具が、腸内物を破砕して排出する強制排出具であり、保護体内側に回転して腸内物を破砕する回転破砕板を配置し、同回転破砕板の回転軸を筒状体の基端まで延伸してモータで回動させるようにし、筒状体の内部を吸引式排出装置に接続した構造であり、更に拡巾手段として、回転軸を筒状体に対して進退自在にし、回転軸の先端を取付けた回転破砕板が保護体と接触して回転破砕板の移動に伴って保護体を開くようにした構造のものを使用した、直腸内で保護体を広く開けて腸内作業具の作業性を高める直腸挿入作業装置。
【請求項２】
肛門から直腸へ挿入される筒状体に直腸内で使用される腸内作業具を設け、同筒状体の先端の所定広さの上方空間の側面を囲う保護体を筒状体先端に取付け、同保護体内側の囲われた空間に腸内作業具の直腸内で露出して使用される部分を配置し、保護体の囲う空間を横方向に拡大させる保護体の拡巾手段を設け、しかも腸内作業具が、腸内物を破砕して排出する強制排出具であり、保護体内側に回転して腸内物を破砕する回転破砕板を配置し、同回転破砕板の回転軸を筒状体の基端まで延伸してモータで回動させるようにし、筒状体の内部を吸引式排出装置に接続した構造であり、更に拡巾手段として、回転軸を内側に挿入した中空軸を設け、同中空軸の先端に環体を設け、各保護体の内面に先端に従って内側中心方向に長く突出する斜面部を設け、中空軸を進退させる操作部を筒状体基端部に設け、中空軸を先端方向に押し込むと環体が斜面部と接衝して保護体を外方向に拡巾させる構造のものを使用した、直腸内で保護体を広く開けて腸内作業具の作業性を高める直腸挿入作業装置。
【請求項３】
肛門から直腸へ挿入される筒状体に直腸内で使用される腸内作業具を設け、同筒状体の先端の所定広さの上方空間の側面を囲う保護体を筒状体先端に取付け、同保護体内側の囲われた空間に腸内作業具の直腸内で露出して使用される部分を配置し、保護体の囲う空間を横方向に拡大させる保護体の拡巾手段を設け、しかも腸内作業具が、腸内物を破砕して排出する強制排出具であり、保護体内側に回転して腸内物を破砕する回転破砕板を配置し、同回転破砕板の回転軸を筒状体の基端まで延伸してモータで回動させるようにし、筒状体の内部を吸引式排出装置に接続した構造であり、更に拡巾手段として、筒状体の内側に基端部の操作で進退するスライド筒を嵌入し、又保護体の内面に先端に従って中心方向へ長く突出する斜面部を設け、スライド筒を先端方向に押し進めることでスライド筒の先端部が斜面部と接衝して保護体を拡巾させる構造のものを使用した、直腸内で保護体を広く開けて腸内作業具の作業性を高める直腸挿入作業装置。
【請求項４】
腸内作業具の駆動部が筒状体側と脱着自在となる請求項１〜３何れか記載の直腸挿入作業装置。
【請求項５】
筒状体の先端部に肛門と水密状に係止するバルーンを取付けた請求項１〜４何れか記載の直腸挿入作業装置。
【発明の詳細な説明】
【０００１】
【発明の属する技術分野】
本発明は、腸内の排泄物の詰り・宿便の解消の為の排便装置、又は腸内検査の為の造影剤注入・排出の直腸カテーテル、腸内手術の為の手術装置、又はその他の腸内検査装置等腸内作業具を肛門から挿入する腸内作業装置の技術に関する。
【０００２】
【従来の技術】
従来、造影剤を直腸に注入・排出する腸内作業具として、直腸カテーテルが広く使用されている。
又本発明者は、直腸カテーテルの先端部分に露出するように腸内便の掻き出し機構を設けた排便装置を開発したが、同掻き出し機構が直接腸壁と接触しないようにする保護が不充分であった。又駆動部はカテーテル本体に固着していたため、使い捨てすることはコスト高となるものであった。
【０００３】
【発明が解決しようとする課題】
本発明は、従来のこれらの問題点を解消し、腸内作業具との接触による損傷が少なく且つ直腸内での作業が効率的に行える直腸挿入作業装置を提供することにある。第２の課題は使い捨て易い安価な直腸挿入作業装置を提供することにある。
【０００４】
【課題を解決するための手段】
かかる課題を解決した本発明の構成は、
１）  肛門から直腸へ挿入される筒状体に直腸内で使用される腸内作業具を設け、同筒状体の先端の所定広さの上方空間の側面を囲う保護体を筒状体先端に取付け、同保護体内側の囲われた空間に腸内作業具の直腸内で露出して使用される部分を配置し、保護体の囲う空間を横方向に拡大させる保護体の拡巾手段を設け、しかも腸内作業具が、腸内物を破砕して排出する強制排出具であり、保護体内側に回転して腸内物を破砕する回転破砕板を配置し、同回転破砕板の回転軸を筒状体の基端まで延伸してモータで回動させるようにし、筒状体の内部を吸引式排出装置に接続した構造であり、更に拡巾手段として、回転軸を筒状体に対して進退自在にし、回転軸の先端を取付けた回転破砕板が保護体と接触して回転破砕板の移動に伴って保護体を開くようにした構造のものを使用した、直腸内で保護体を広く開けて腸内作業具の作業性を高める直腸挿入作業装置
２）  肛門から直腸へ挿入される筒状体に直腸内で使用される腸内作業具を設け、同筒状体の先端の所定広さの上方空間の側面を囲う保護体を筒状体先端に取付け、同保護体内側の囲われた空間に腸内作業具の直腸内で露出して使用される部分を配置し、保護体の囲う空間を横方向に拡大させる保護体の拡巾手段を設け、しかも腸内作業具が、腸内物を破砕して排出する強制排出具であり、保護体内側に回転して腸内物を破砕する回転破砕板を配置し、同回転破砕板の回転軸を筒状体の基端まで延伸してモータで回動させるようにし、筒状体の内部を吸引式排出装置に接続した構造であり、更に拡巾手段として、回転軸を内側に挿入した中空軸を設け、同中空軸の先端に環体を設け、各保護体の内面に先端に従って内側中心方向に長く突出する斜面部を設け、中空軸を進退させる操作部を筒状体基端部に設け、中空軸を先端方向に押し込むと環体が斜面部と接衝して保護体を外方向に拡巾させる構造のものを使用した、直腸内で保護体を広く開けて腸内作業具の作業性を高める直腸挿入作業装置
３）  肛門から直腸へ挿入される筒状体に直腸内で使用される腸内作業具を設け、同筒状体の先端の所定広さの上方空間の側面を囲う保護体を筒状体先端に取付け、同保護体内側の囲われた空間に腸内作業具の直腸内で露出して使用される部分を配置し、保護体の囲う空間を横方向に拡大させる保護体の拡巾手段を設け、しかも腸内作業具が、腸内物を破砕して排出する強制排出具であり、保護体内側に回転して腸内物を破砕する回転破砕板を配置し、同回転破砕板の回転軸を筒状体の基端まで延伸してモータで回動させるようにし、筒状体の内部を吸引式排出装置に接続した構造であり、更に拡巾手段として、筒状体の内側に基端部の操作で進退するスライド筒を嵌入し、又保護体の内面に先端に従って中心方向へ長く突出する斜面部を設け、スライド筒を先端方向に押し進めることでスライド筒の先端部が斜面部と接衝して保護体を拡巾させる構造のものを使用した、直腸内で保護体を広く開けて腸内作業具の作業性を高める直腸挿入作業装置
４）  腸内作業具の駆動部が筒状体側と脱着自在となる前記１）〜３）何れか記載の直腸挿入作業装置
５）  筒状体の先端部に肛門と水密状に係止するバルーンを取付けた前記１）〜４）何れか記載の直腸挿入作業装置
にある。
【０００５】
【発明の実施の形態】
本発明の筒状体は従来の直腸カテーテルの筒状カテーテル本体と同様な肉厚のシリコンゴム・ゴム等で製作されるがプラスチックでも製造できる。又同筒状体の肛門との間でこれを水密状に係止するバルーンを取付けるのが実用的である。本発明の保護体は、花弁の如く開閉できることがよく、複数の硬質板を柔かいフィルムで封止して花弁状にし、その保護体の基端、又は中間を筒状体先端に取付け、保護体を開閉する拡巾手段を設けるものが実用的である。保護体は花弁片を複数個放射状に筒状体先端に取付けて構成できるが、この場合花弁片間に可撓性の膜を取付けてもよいし、膜を取付けない場合もある。
本発明の筒状体内部は先端まで中空通路として、腸内物を排出することができるように、又は温水、薬剤、光ファイバー等の検査、作業器部材を通過させることができるようにする。
【０００６】
【実施例】
以下、本発明の実施例を図面に基いて説明する。
：第１実施例（図１〜１０参照）
本実施例は腸内で詰った便を削って破砕する破砕機構を筒状体に取り込んで、筒状体内通路を吸引式排出装置に接続した排便装置の例である。保護体は硬質板をフィルムで封止し、筒状体先端に取付けられて形成している。
図１は、実施例の説明図である。
図２は、実施例の挿入時の先端部分を示す縦断面図である。
図３は、実施例の使用状態の先端部分を示す縦断面図である。
図４は、実施例の後端部を示す縦断面図である。
図５は、実施例の掻き込み具を示す拡大正面図である。
図６は、実施例の回転破砕板の掻き込み爪の形状を示す円周方向縦断展開図である。
図７は、実施例の保護体の開状態の拡大正面図である。
図８は、実施例の保護体を示す斜視図である。
図９は、図７のＡ−Ａ断面図である。
図１０は、実施例の保護体の横断面図である。
図中、１はシリコンゴム製の筒状体、１ａは筒状体の基端の蛇腹部、１ｂは先端開口、１ｃは筒状体１の内部通路、１ｄは環状の２つのバルーン、１ｅは同バルーンへの空気注入管、２は腸内の便を筒状体１内へ破砕して取り込む破砕機構、２ａは皿状の破砕板、２ｂはその底面に三角形状に突出させた掻き込み爪、２ｃは同掻き込み爪の近くにある穴、２ｄは回転軸、２ｅは同回転軸を回動される低速回転小型モータ、２ｆは回転軸２ｄの上部軸受、２ｇは同上部軸受の開口、２ｈは筒状体１の下部に固着された回転軸２ｄのスライド自在な下部軸受、２ｉは同下部軸受に設けた開口、２ｊは上部軸受２ｆと下部軸受２ｈとを連接する連接杆、３は保護体、３ａは保護体３の三角状の硬質板、３ｂは同硬質板を上下から密着させて封止するフィルム、３ｃは保護体３のフィルム下端と上部軸受２ｆを固着した連結部、３ｄは保護体３に設けた開口部、３ｅは結束リング、４はデンプン質からなるキャップで、閉じた保護体３の先端及び側面を覆うように丸味のある形状で付着している。５は筒状体１の内部通路１ｃと接続されているチューブ、５ａは切換器、６は吸引式排出と温水圧送を行うポンプ、７は温水注入路、８は温水を収容する温水タンク、９は排泄物容器である。
図１〜１０に示す実施例では、肛門Ｋから本実施例の排便装置を挿入するときは、図２に示すように保護体を閉じ、閉じた保護体３の先端及び先端外周面にでんぷん質のオブラート素材でもって丸くキャップ４で被覆している。この状態で肛門Ｋから挿入すれば丸味のあるキャップ４が肛門Ｋに接触し、保護体３の先端で肛門Ｋ、直腸内壁を傷つけることなく挿入できる。
挿入後、空気注入管１ｅに空気を送ってバルーン１ｄを脹らませて筒状体１を肛門Ｋに水密状に固定する。その後に切換器５ａを温水側に接続し、スクイズ式のポンプ６を作動させ、温水タンク８内の温水を温水注入路７，チューブ５，開口２ｉ，筒状体１の内部通路１ｃ，上部軸受２ｆの開口２ｇを介して保護体３内に送り込み、キャップ４を温水及び腸内液で溶解させる。又温水の注入圧で溶解しかけたキャップ４を外して保護体３の先端を開口状態にする。
開口状態にした後筒状体１の基端部，低速回転小型モータ２ｅを握って図１，２の左方向に引くと、筒状体１の先端部はバルーン１ｄで固定されているので、筒状体１の基端部・低速回転小型モータ２ｅ及びこれに取付けた回転軸２ｄは蛇腹部１ａを伸ばして左方向に移動する。回転軸２ｄの先端に取付けた回転破砕板２ａも保護体３内で左方向へ移動する。回転破砕板２ａの左方向の移動によって左方向に縮径した形状の保護体３の内面は回転破砕板２ａの外周と接触し、その左方向移動によって、保護体３は外方向に傾むくようにラッパ状に開く。
保護体３がラッパ状に開いて切換器５ａを排泄側にしてポンプ６を吸引排出の回転方向に回転させ、筒状体１・保護体３内を負圧にして、腸内物を吸引して排出するようにする。又低速回転小型モータ２ｅを作動させて、回転軸２ｄの回転で破砕板２ａを低速回転させ、腸内物をその掻き込み爪２ｂで掻き込んで穴２ｃから筒状体１内へ取り込む。保護体３には開口部３ｄがあり、腸内物の一部はそこから出入して保護体３の側面外周からの吸引も可能としている。
回転破砕板２ａから筒状体１内に取り込まれた腸内物は、上部軸受２ｆの開口２ｇ内部通路１ｃ，下部軸受２ｈの開口２ｉ，チューブ５を介して排泄物容器９へ移動し、収容される。
本実施例の直腸挿入作業装置を肛門から引き抜くときは、バルーン１ｄの空気を抜いて収縮させ、又筒状体１の基端部を肛門Ｋ方へ押して回転破砕板２ａを奥の方へ移動させ、その後筒状体１を肛門Ｋから引き抜けば、保護体３は収縮させられて図２の状態となって肛門Ｋから引き出せるようになるものである。
【０００７】
：第２実施例（図１１〜１５参照）
図１１は、第２実施例の縦断面図である。
図１２は、第２実施例の保護体の拡巾状態を示す説明図である。
図１３は、図１１のＸ−Ｘ断面図である。
図１４は、第２実施例の保護体の閉じた状態の説明図である。
図１５は、第２実施例の保護体の拡巾状態の説明図である。
図１１〜１５に示す第２実施例はプラスチック製の筒状体２０の上部を複数に縦のスリット２０ａで分割して花弁状にし、その分割された花弁片２０ｂの基端を円周方向の横溝２０ｃを設け、各花弁片２０ｂを開閉自在とし、筒状体２０及び開いた状態の花弁片２０ｂの外周をフィルム２１で被覆し、花弁片２０ｂとフィルム２１とで開閉自在な保護体２２を形成する。又この保護体２２の内面に断面三角形状の段突起２３をそれぞれ突設し、同段突起の斜面２３ａと接衝する環体２４を進退自在な中空軸２５の先端に取付け、同中空軸中に回転軸２６を挿入し、同回転軸の先端に破砕板２７を取付けている。同破砕板は円板２７ａの一部に鋭角の掻き刃２７ｂと便の通路ともなる開口を設けたものである。中空軸２５の基端はスライダ筒２７に連結され回転軸２６の基端は、カップリング２８ａを介して脱着自在に減速機付モータ２８の出力軸と連結されている。減速機付モータ２８は筒状体２０基端に取付筒２９を介して取付けられ、カップリング２８ａからモータ２８は分離できるようになっていて、モータ２８は汚れずに何回も使用可能となっている。
図中、３０は中空軸２５の軸支部、３１は筒状体２０の基端キャップ、３２は注入排出口、３３はバルーン、３３ａは同バルーンへの空気注入チューブ、３４は正逆両方向のスクイズ式圧送ポンプ、３５は注入排出口に接続されるチューブ、３６は排泄物収納容器、３７は湯容器、３８，３９は逆止弁、４９は水溶性のデンプン質のキャップである。
この実施例では、肛門から挿入するときは、図１１の状態として、保護体２２の花弁片２０ｂは垂直の状態にして閉じた形にし、これにデンプン質のキャップ４９を取付けてから肛門へ挿入する。花弁片２０ｂ間のフィルム２１はしわとなっている状態にある。その後バルーン３３に空気を送り込んで膨らませて固定し、次に圧送ポンプ３４を作動させ、湯容器３７から湯をチューブ３５、注入排出口３２、筒状体２０内、保護体２２の内部を通過させて湯をキャップ４９に送り込んでキャップ４９を溶解して取り外し、湯を直腸内に送り込んで便を柔かくする。その後圧送ポンプ３４を逆方向に回転させ、保護体２２から腸内物（便・液体・注入した湯）を吸引して排泄物収納容器３６に収納させる。又、スライダ筒２７を先端方向に手で押し込むと、中空軸２５が移動してその先端の環体２４が先端方向へ移動し、これに伴って環体２４が三角形状の段突起２３の斜面２３ａと接衝して花弁片２０ｂを外方向に押し開く。花弁片２０ｂが外方へ押し拡がって保護体２２の先端直径が５０ｍｍ程拡巾する。（図１２の状態）。
この状態でモータ２８を作動させると回転軸２６は回転し、その先端の破砕板２７は回転する。破砕板２７の回転によって保護板内の硬くなった便をその掻き刃２７ｂで削り、破砕して筒状体２０内を通過させて排出できるようにしている。
【０００８】
：第３実施例（図１６〜１８参照）
図１６は、第３実施例の縦断面図である。
図１７は、第３実施例の平面図である。
図１８は、第３実施例の保護体の拡巾状態を示す説明図である。
図１６〜１８に示す第３実施例は、第２実施例の環体と中空軸による開閉手段に代え、筒状体４０の内側に嵌合した長いスライド筒４１で行うようにし、筒状体４０の上端に別体として製造された花弁片４２ａを６個放射状に取付けて保護体４２となし、花弁片４２ａ間にはフィルムを取付けていない。同花弁片４０ａは閉じた状態では互に中心に寄り合って保護体４０は閉じた状態では先細り状になるようになっていて、又花弁片４０ａの内側に内側に突出するように肉厚４０ｂを厚くし、その内側の下部を斜面４０ｃとして、第２実施例の段突起と同じ機能を有するようにしている。スライド筒４１と、回転軸４３・モータ４６とは筒状体に対して一緒に進退するようになっている。４６ｂは駆動部のケースでモータ４６と電池４６ｄと５Ｗ４６ｃとを取付け、スライド筒４１と脱着自在に嵌着している。スライド筒４１の基端にストッパリング４１ａが取付けられ、先端の破砕板４５が保護体４２から飛び出さない安全な位置までに制限している。
図中、４１ｂはスライド筒４１の先端に取付けた回転軸４３の軸支ステー、４１ｃは腸内物・湯の注排用孔、４１ｄはスライド筒４１の基底壁、４６はモータ、４６ａは回転軸４３とのモータ４２の出力軸との脱着自在なカップリング、４７は注入排出口、４８は筒状体の注入排出口の移動を許容する切欠、４９はデンプン質の水溶性キャップである。
この第３実施例では、スライド筒４１を筒状体４０に対して先端方向に押し込めば、スライド筒４１の先端が花弁片４０ａの斜面４０ｃと接触して、花弁片４２ａは外方へ押し拡げられて保護体４０を開くものである。破砕板４５によって破砕された腸内物はスライド筒４１内を通って注入排出口４７を介して外部へ排出される。湯の注入・排出手段は第２実施例と同様である。
【０００９】
【発明の効果】
以上の様に、直腸に挿入されて腸内で露出する作業具部分を保護体で囲うことで直腸の腸壁・肛門との接触を防ぎ、傷つけることなく、便の排出等の腸内作業及び出入れを安全に行えるようにできる。しかも直腸内で保護体は拡巾して腸内物との取り込み間口を拡くして腸内作業具の作業性を向上させることができる。
【図面の簡単な説明】
【図１】実施例の説明図である。
【図２】実施例の挿入時の先端部分を示す縦断面図である。
【図３】実施例の使用状態の先端部分を示す縦断面図である。
【図４】実施例の後端部を示す縦断面図である。
【図５】実施例の掻き込み具を示す拡大正面図である。
【図６】実施例の回転破砕板の掻き込み爪の形状を示す円周方向縦断展開図である。
【図７】実施例の保護体の開状態の拡大正面図である。
【図８】実施例の保護体を示す斜視図である。
【図９】図７のＡ−Ａ断面図である。
【図１０】実施例の保護体の横断面図である。
【図１１】第２実施例の縦断面図である。
【図１２】第２実施例の保護体の拡巾状態を示す説明図である。
【図１３】図１１のＸ−Ｘ断面図である。
【図１４】第２実施例の保護体の閉じた状態の説明図である。
【図１５】第２実施例の保護体の拡巾状態の説明図である。
【図１６】第３実施例の縦断面図である。
【図１７】第３実施例の平面図である。
【図１８】第３実施例の保護体の拡巾状態を示す説明図である。
【符号の説明】
１  筒状体
１ａ  蛇腹部
１ｂ  先端開口
１ｃ  内部通路
１ｄ  バルーン
１ｅ  空気注入管
２  破砕機構
２ａ  回転破砕板
２ｂ  掻き込み爪
２ｃ  穴
２ｄ  回転軸
２ｅ  低速回転小型モータ
２ｆ  上部軸受
２ｇ  開口
２ｈ  下部軸受
２ｉ  開口
２ｊ  連接杆
３  保護体
３ａ  硬質板
３ｂ  フィルム
３ｃ  連結部
３ｄ  開口部
３ｅ  結束リング
４  キャップ
５  チューブ
５ａ  切換器
６  ポンプ
７  温水注入路
８  温水タンク
９  排泄物容器
２０  筒状体
２０ａ  スリット
２０ｂ  花弁片
２０ｃ  横溝
２１  フィルム
２２  保護体
２３  段突起
２３ａ  斜面
２４  環体
２５  中空軸
２６  回転軸
２７  破砕板
２７ａ  円板
２７ｂ  掻き刃
２８  モータ
２８ａ  カップリング
２９  取付筒
３０  軸支部
３１  基端キャップ
３２  注入排出口
３３  バルーン
３３ａ  空気注入チューブ
３４  圧送ポンプ
３５  チューブ
３６  排泄物収納容器
３７  湯容器
３８，３９  逆止弁
４０  筒状体
４１  スライド筒
４２  保護体
４２ａ  花弁片
４２ｂ  肉厚
４２ｃ  斜面
４３  回転軸
４４  欠番
４５  破砕板
４１ａ  ストッパリング
４１ｂ  軸支ステー
４１ｃ  孔
４１ｄ  基底壁
４６  モータ
４６ａ  カップリング
４７  注入排出口
４８  切欠
４９  キャップ
【図１】
0003560853.tif 000002
【図２】
0003560853.tif 000003
【図３】
0003560853.tif 000004
【図４】
0003560853.tif 000005
【図５】
0003560853.tif 000006
【図６】
0003560853.tif 000007
【図７】
0003560853.tif 000008
【図８】
0003560853.tif 000009
【図９】
0003560853.tif 000010
【図１０】
0003560853.tif 000011
【図１１】
0003560853.tif 000012
【図１２】
0003560853.tif 000013
【図１３】
0003560853.tif 000014
【図１４】
0003560853.tif 000015
【図１５】
0003560853.tif 000016
【図１６】
0003560853.tif 000017
【図１７】
0003560853.tif 000018
【図１８】
0003560853.tif 000019